(57)【要約】【課題】  電気音響変換装置において、特に薄型化と特性の安定化を容易にする。【解決手段】  ヨーク３５の一方の先端部には外周方向へせり出すフランジ部３７を設ける。ヨーク３５外周にはリング状の駆動マグネット３７とポールピース３９を嵌めてフランジ部３７に固定する。ポールピース３９の外周縁部には、環状に形成された貼付部３９ａと、この貼付部３９ａ外側に当接部３９ｂを同心円状に設ける。振動膜４３をポールピース３９とフランジ部４５を塞ぐように貼付部３９ａに貼付ける。振動膜４３にボイスコイル４５を固定し、これをポールピース３９とヨーク３５間に挿入する。ケース本体５１内壁を当接部３９ｂに当接する。【選択図】  図１
2018067780.tif 000002
【特許請求の範囲】
【請求項１】
円筒状の磁性体性のヨークであって、一方の端面側から外側へ屈曲形成させたフランジ部を有するヨークと、
前記フランジ部に一方の端面が共軸的に固定されたリング状の駆動マグネットであって、当該内周が前記ヨークの外周と間隔を置いて周対面する駆動マグネットと、
前記ヨークの外周において、前記駆動マグネットの他方の端面側にこれと共軸的に固定されたリング状のポールピースと、
このポールピースにおける前記駆動マグネットとは反対面において当該外周縁部に沿って環状に形成された貼付部と、
前記ポールピースの前記反対面において前記貼付部の外側にこれと同心円状に形成された当接部と、
前記ポールピースおよび前記ヨークと間隔を置いて対向するようにして当該外周が前記貼付部に直接貼付けられた薄い振動膜と、
細い絶縁導線を巻いて筒形に形成され、前記振動膜の前記ヨークの側片面に固定されたボイスコイルであって、前記ポールピースの内周と前記ヨークの外周との間の環状空隙に挿入されるとともに印加される音声信号によって前記振動膜を振動させるボイスコイルと、
当該内壁を前記当接部に当接させて前記ポールピース、前記駆動マグネットおよび前記ヨークを収納するケース本体と、
を具備してなることを特徴とする電気音響変換装置。
【請求項２】
前記貼付部は、前記ポールピースの前記外周縁部の全周にわたって凸状に突設形成された請求項１記載の電気音響変換装置。
【請求項３】
前記当接部は、前記ポールピースの前記外周縁部において前記貼付部より下がったレベルで延設形成された請求項１又は２記載の電気音響変換装置。
【請求項４】
前記当接部は、前記ポールピースの前記外周縁部において前記貼付部から同一レベルで延設形成された請求項１又は２記載の電気音響変換装置。
【請求項５】
前記当接部は、前記ポールピースの前記外周縁部において前記貼付部の外側にこれに沿って形成された環状の凹溝を介して延設形成された請求項４記載の電気音響変換装置。
【請求項６】
前記ポールピースは磁性体材料で形成されてなる請求項１〜５いずれか１記載の電気音響変換装置。
【発明の詳細な説明】
【技術分野】
【０００１】
本発明は電気音響変換装置に係り、特に、使用者の耳や頭部に装着するイヤホンおよびヘッドホン、並びに大型のスピーカのようなスピーカ装置や、更に、マイクロフォンとして使用可能な電気音響変換装置の改良に関する。
【背景技術】
【０００２】
従来、使用者の耳に装着するスピーカ装置としては、例えば図６に示すように、ケース本体１内に配置したカップ状ヨーク３内に駆動マグネット５の一方の端面を固定し、駆動マグネット５の他方の端面との間で間隔を置いて対面する薄い振動膜７をヨーク３の先端に接着剤等で固定し、振動膜７に固定した円筒状のボイスコイル９を駆動マグネット５の外周に僅かな間隔を置いて挿入した内磁型の構成が良く知られている。
【０００３】
ケース本体１は、ロート状の基部１ａとこの先端（図６中右側）を覆う前面カバー１ｂからなり、前面カバー１ｂから突出する音通筒体１１外周に可撓性のイヤーチップ（イヤパット、イヤピース）１３が嵌められる。
【０００４】
なお、図６中の符号１５は外部へ導出されるケーブルであり、この結び目１５ａが基部１ａ内にある。
【０００５】
このスピーカ装置では、振動膜７を振動させる駆動部１７が駆動マグネット５およびボイスコイル９によって形成され、外部からケーブル１５でボイスコイル９に音声信号を印加することによって振動膜７を振動させて発音させ、発音された音が振動膜７前面の音通筒体１１から外部へ伝搬される。
【０００６】
実際の製品としてのスピーカ装置は、例えば外耳道挿入（カナル）型のイヤホン装置に構成し、使用者の耳珠１９、対珠２１、耳甲介２３で囲まれた耳甲介腔２５に、振動膜７を耳甲介２３に近接させるようにしてケース本体１を挿入するとともに、耳甲介腔２５から鼓膜（図示せず）へ延びる外耳道２７内壁にイヤーチップ１３を弾性的に当接させて使用される。
【０００７】
実際の製品には、上述した図６のように、振動膜７の中心軸に音通筒体１１の中心軸を揃えた同軸型と、図示はしないが、振動膜７の中心軸に音通筒体１１の中心軸を斜めに設定した非同軸型とがある。図６ではイヤホン装置を左耳に装着した状態を示している。
【０００８】
ところで、イヤホンの公知例としては特開２０１０−２８３６４３号公報（特許文献１）があり、スピーカ装置の公知例としては特開２００８−１１８３３１号公報（特許文献２）がある。
【先行技術文献】
【特許文献】
【０００９】
【特許文献１】特開２０１０−２８３６４３号公報
【特許文献２】特開２００８−１１８３３１号公報
【発明の開示】
【発明が解決しようとする課題】
【００１０】
そして、図６に示したスピーカ装置の構成を分かり易いよう若干変形して詳細に示すと、例えば図７のようになる。
【００１１】
すなわち、図７において、上述したスピーカ装置は、カップ状ヨーク３が、その底部３ａ中央に貫通孔３ｂを有し、ヨーク３の筒形部３ｃの開放端側を外側へ屈曲させた平らな支持片３ｄを有し、この支持片３ｄの先端外周部を軸方向に沿って若干立ち上げて環状固定部３ｅとする構成となっている。
【００１２】
さらに、ヨーク３内において、駆動マグネット５およびリング板状のポールピース２９を重ねてヨーク３の底部３ａに例えばはとめ３１で一体化して固定し、接着剤（図示せず）を塗布した環状固定部３ｅに振動膜７の外周を直接固着して振動膜７で支持片３ｄおよびポールピース２９を覆い、振動膜７に固定されたボイスコイル９をポールピース２９とヨーク３との間に挿入した構成となっている。
【００１３】
図７中の符号３３は、外部からケーブル１５（図６参照）で音声信号が供給される回路基板であり、この回路基板３３から図示しないリード線を介してボイスコイル９に音声信号が印加される。
【００１４】
しかも、ケース本体１の前面ケース１ｂの先端内側とヨーク３の環状固定部３ｅの背面側空間Ｅに図示しない可撓性の接着剤を塗布し、ヨーク３すなわちスピーカ本体が前面ケース１ｂ（本体ケース１）に固定されている。
【００１５】
しかしながら、このような図７に示す構成では、一般的に、環状固定部３ｅに振動膜７が接着剤にて接着固定されており、スピーカ本体を本体ケース１に挿入する際、その環状固定部３ｅが前面カバー１ｂの段部１ｃに振動膜７を挟むようにして当接されており、次のような課題がある。
【００１６】
すなわち、振動膜７は、ボイスコイル９の振動を容易にするため、上述した可撓性の接着剤で環状固定部３ｅに接着されているが、その接着部分が前面カバー１ｂの段部１ｃに当接する場合、不均一押圧又は嵌合時の隙間による偏り等が生じ易く、振動膜７に変形を生じさせ、これが振動膜７の振動時の歪みとなって特性を不安定にさせ易い。
【００１７】
また、支持片３ｄの環状固定部３ｅに貼り付ける振動膜７は、これを貼付け易くする観点から、１枚の大きな樹脂シートから環状固定部３ｅの外径寸法より僅かに大径にカットして環状固定部３ｅに貼り付けるので、振動膜７の外周縁が環状固定部３ｅから外周へはみ出す。
【００１８】
そのため、支持片３ｄの環状固定部３ｅとケース本体１の前面ケース１ｂ内側との間の寸法Ｓ１は、０．１２ｍｍ程度が必要になり、この点から前面ケース１ｂすなわちケース本体１の外径寸法の小型化の障害になり易い。
【００１９】
上述した課題は、外磁型の構成においても同様に当てはまるが、本発明者は、外磁型構成がそれらの課題を容易に解決し易い構成であることを見出し、本発明を完成させた。
【００２０】
本発明はそのような課題を解決するためになされたもので、特性を安定化させ易く、小型化も容易な電気音響変換装置の提供を目的とする。
【課題を解決するための手段】
【００２１】
そのような課題を解決するために本発明の電気音響変換装置に係る構成は、円筒状の磁性体性のヨークであって一方の端面側から外側へ屈曲形成させたフランジ部を有するヨークと、そのフランジ部に一方の端面が共軸的に固定されたリング状の駆動マグネットであって当該内周がそのヨークの外周と間隔を置いて周対面する駆動マグネットと、そのヨークの外周において、その駆動マグネットの他方の端面側にこれと共軸的に固定されたリング状のポールピースと、このポールピースにおけるその駆動マグネットとは反対面において当該外周縁部に沿って環状に形成された貼付部と、そのポールピースの反対面においてその貼付部の外側にこれと同心円状に形成された当接部と、それらポールピースおよびヨークと間隔を置いて対向するようにして当該外周がその貼付部に直接貼付けられた薄い振動膜と、細い絶縁導線を巻いて筒形に形成され、その振動膜のヨーク側片面に固定されたボイスコイルであって、それらポールピースの内周とヨークの外周との間の環状空隙に挿入されるとともに印加される音声信号によってその振動膜を振動させるボイスコイルと、当該内壁をその当接部に当接させてそれらポールピース、駆動マグネットおよびヨークを収納するケース本体と、を具備している。
【００２２】
本発明の電気音響変換装置に係る構成は、上記貼付部が、そのポールピースの外周縁部の全周にわたって凸状に突設形成された構成も可能である。
【００２３】
本発明の電気音響変換装置に係る構成は、上記当接部が、そのポールピースの外周縁部においてその貼付部より下がったレベルで延設形成された構成も可能である。
【００２４】
本発明の電気音響変換装置に係る構成は、上記当接部が、そのポールピースの外周縁部においてその貼付部から同一レベルで延設形成された構成も可能である。
【００２５】
本発明の電気音響変換装置に係る構成は、上記当接部が、そのポールピースの外周縁部においてその貼付部の外側にこれに沿って形成された環状の凹溝を介して延設形成された構成も可能である。
【００２６】
本発明の電気音響変換装置に係る構成は、上記ポールピースが磁性体材料で形成されてなる構成も可能である。
【発明の効果】
【００２７】
このような本発明の電気音響変換装置に係る構成では、フランジ部を有するヨーク外周に、リング状の駆動マグネットとポールピースを嵌めてそのフランジ部に固定し、そのポールピースの外周縁部には、環状に形成された貼付部とこの貼付部の外側に当接部とを同心円状に設け、その振動膜をそれらポールピースとフランジ部を塞ぐように貼付部に貼付け、振動膜に固定したボイスコイルをポールピースとヨーク間に挿入してなるから、ポールピースに貼り付けた振動膜に対するストレスを小さくすることが容易で、特性のばらつきを抑えてそれを安定化させ易く、小型化も容易である。
【００２８】
本発明の電気音響変換装置に係る構成では、上記貼付部を、そのポールピース片面の外周部全周にわたって凸状に突設形成すれば、振動膜を貼付部に載置、固定し易い。
【００２９】
本発明の電気音響変換装置に係る構成では、上記当接部を、そのポールピースの外周部においてその貼付部より下がったレベルで延設すれば、多少の薄型化も可能である。
【００３０】
本発明の電気音響変換装置に係る構成では、上記当接部を、そのポールピースの外周部においてその貼付部から同一レベルで延設すれば、フランジ部形状の簡素化が可能である。
【００３１】
本発明の電気音響変換装置に係る構成では、上記当接部を、そのポールピースの外周部においてその貼付部の外側にこれに沿って形成された環状の凹溝を介して延設すれば、振動膜を貼付部に載置、固定し易い。
【００３２】
本発明の電気音響変換装置に係る構成では、上記フランジ部を磁性体材料で形成すれば、漏えい磁束の減少、また無効磁束の減少等によりポールピースとヨークとの間に強い磁気回路が形成され、ダンピングの効いた、レスポンスの早い振動が確保され易い。
【図面の簡単な説明】
【００３３】
【図１】本発明の電気音響変換装置に係る実施の形態を示す要部縦断面図である。
【図２】本発明の電気音響変換装置の要部を拡大して示す部分拡大断面図である。
【図３】図１の電気音響変換装置に係る振動膜の底面図である。
【図４】図１の電気音響変換装置をイヤホン装置として示す概略縦断面図である。
【図５】本発明の電気音響変換装置に係る他の実施の形態を示す要部縦断面図である。
【図６】従来の電気音響変換装置を使用例とともに示す断面図である。
【図７】図６の電気音響変換装置を説明するための参考縦断面図である。
【発明を実施するための最良の形態】
【００３４】
以下、本発明に係る電気音響変換装置の実施の形態をスピーカ装置、例えばイヤホン装置を例にし、図面を参照して説明する。
【００３５】
図１は本発明のスピーカ装置に係る実施の一形態を示す要部縦断面図である。
図１において、ヨーク３５は、磁性体板材料から円筒状に成形加工されてなり、この筒形部３５ａと、一方（図１中下側）の開放端を外側へ屈曲して形成されたリング板状のフランジ部３５ｂとを一体的に有している。
【００３６】
ヨーク３５の外周には、その筒形部３５ａ外周と間隔を置いてリング状の駆動マグネット３７が共軸的に嵌められ、一方の端面（図１中下側）をフランジ部３５ｂ上に重ねるようにしてこれに固定されている。
【００３７】
駆動マグネット３７の他方の端面（図１中上側）には、駆動マグネット３７の外径とほぼ同寸法又は若干小径の内径を有して磁性体からリング板状に形成されたポールピース３９が重ねられている。このポールピース３９はヨーク３５との間で磁気回路を形成するものである。
【００３８】
それらフランジ部３５ｂ、駆動マグネット３７およびポールピース３９は外径寸法が揃っており、ポールピース３９の内周が駆動マグネット３７のそれより内側へ突出しているものの双方ともほぼ揃っている。
【００３９】
ポールピース３９は、ヨーク３５の他方の先端部（図１中上側）とほぼ同じレベル位置にあり、ヨーク３５と周対面している。
【００４０】
ヨーク３５のフランジ部３５ｂ外側（図１中下面）には、中央の貫通孔４１ａとこれを囲むような複数の貫通孔４１ｂとを有する回路基板４１が重ねられている。
【００４１】
それら駆動マグネット３７、ポールピース３９および回路基板４１は、例えば接着剤によって共軸的にフランジ部３５ｂと一体化され、ヨーク３５のフランジ部３５ｂに固定されている。
【００４２】
ポールピース３９にあって駆動マグネット３７とは反対面における外周縁部には、図２Ａに示すように、貼付部３９ａが外周に沿ってその全周に渡って凸状に環状かつ一体的に形成されるとともに、その反対面において、当接部３９ｂが貼付部３９ａの外周に同心円状に形成されている。
【００４３】
ポールピース３９の貼付部３９ａが凸状に突設されているので、当接部３９ｂが貼付部３９ａより下がったレベルで延設形成された状態になっている。この当接部３９ｂが後述するケース本体５１内に当接される。
【００４４】
振動膜４３は、ポールピース３９側から図示した図３に示すように、従来公知の薄い絶縁性フィルム材料から円板状に形成されており、比較的広い中央部を若干ドーム状に膨らませてなる中央領域４３ａと、この中央領域４３ａを同心円状かつ環状に囲むとともに若干膨出させてなる外周領域４３ｂとを有している。図３中の符号４５ａは後述するボイスコイル４５の両端リード線である。
【００４５】
振動膜４３の中央領域４３ａには、図示しないが、折り返し形状、放射状又は同心円状のリブ等を設けてフィルム材料を屈曲させた屈曲部が形成され、中央領域４３ａは撓み難いよう剛性を有している。
【００４６】
外周領域４３ｂには、図示しないが、いわゆるコルゲーション(corrugａtion）エッジと称される放射状の細かい凹凸条が形成されており、中央領域４３ａと比較し、外周領域４３ｂは容易に撓み易く振動に対して柔軟性が高くなっている。
【００４７】
すなわち、中央領域４３ａが外周領域４３ｂに比べて撓み難く強い剛性を有している。もっとも、中央領域４３ａを含めた振動膜４３の良好な振動が確保される剛性範囲内が大切である。
【００４８】
振動膜４３は、図１に示すように、ヨーク３５およびポールピース３９に対して間隔を置いてそれらを覆うとともに、外周領域４３ｂの外縁全周を貼付部３９ａに重ね、例えば可撓性接着剤（図示せず）によって貼付部３９ａに接着固定されている。
【００４９】
振動膜４３のヨーク３５側面（図１中下面側）において、中央領域４３ａと外周領域４３ｂとの環状の境目には、円筒状のボイスコイル４５の一方の端面側が中央領域４３ａを囲むように固定されている。
【００５０】
ボイスコイル４５は、絶縁被覆された細い絶縁導線を円筒状に巻いて一体化したものであり、ヨーク３５の筒形部３５ａの外周と駆動マグネット３７やポールピース３９の内周との間に、ヨーク３５と駆動マグネット３７やポールピース３９と僅かな間隔を置いて挿入され、ヨーク３５の外周と駆動マグネット３７やポールピース３９の内周との間で環状に対面している。
【００５１】
ボイスコイル４５からのリード線４５ａはその対角位置から導出され、ヨーク３５の中空部、更に、回路基板４１の貫通孔４１ｂを介して導出され、回路基板４１に接続されている。
【００５２】
なお、貫通孔４１ｂは、リード線４５aを通した後に粘着テープ又は接着剤等で密閉される。
【００５３】
ヨーク３５のフランジ部３５ａに重ねられた回路基板４１には、ケーブルによって電子機器（何れも図示せず。）から音声信号が供給される。
【００５４】
音声信号のボイスコイル４５への印加によってボイスコイル４５が変位し、振動膜４３が振動駆動する。
【００５５】
すなわち、ヨーク３５、駆動マグネット３７、ポールピース３９およびボイスコイル４５により、振動膜４３を振動駆動させる駆動部４７が形成され、いわゆる外磁型のスピーカ装置の主要部（スピーカ本体）となっている。
【００５６】
図１中の符号４９は、回路基板４１の貫通孔４１ａを塞ぐ音響制動用の通気性ネットであり、例えば不織布などによって形成されており、その目の粗さによって振動膜４３側とヨーク３５外部との間の通気量の多少を可変させて音質調整が可能である。
【００５７】
外磁型のスピーカ装置のスピーカ本体は、図４に示すように、ポールピース３９の貼付部３９ａおよび当接部３９ｂをキャップ状のケース本体５１内に嵌められ、ケース本体５１内に支持されている。
【００５８】
上述したケース本体５１は、ヨーク３５、駆動マグネット３７および、ポールピース３９の外周が嵌る大径筒状部５１ａと、この大径筒状部５１ａから連続してなるとともに、ヨーク３５より小径の小径筒状部５１ｂとを有し、合成樹脂等から一体的に成形加工されている。
【００５９】
ヨーク３５、駆動マグネット３７およびポールピース３９が、一体化されて大径筒状部５１ａ内側に嵌め込まれ、大径筒状部５１ａ内径を小径化するように形成された内側段部５１ｃに、ポールピース３９の当接部３９ｂが当接されている。
【００６０】
すなわち、ポールピース３９の外周エッジ部は、振動膜４３の固定部とケース本体５１への当接部を別々の部分で個別に機能させている。
【００６１】
外磁型のスピーカ装置の主要部をケース本体５１に挿入後、フランジ部３５ｂ背面側とケース本体５１（大径筒状部５１ａ）内壁との間に形成される背面側空間に図示しない接着剤を塗布し、ヨーク３５等がケース本体５１に固定されている。
【００６２】
ケース本体５１の小径筒状部５１ｂは、振動膜４３と間隔を置いてこれを覆うとともに、図４中上方に突出するように延びて音通筒体となっている。
【００６３】
上述した構成のスピーカ装置は、ケース本体５１における大径筒状部５１ａの開放先端の内側に、キャップ状カバー５３の開放先端部が圧入等され、図示しない接着剤でカバー５３が大径筒状部５１ａの開放（端）側に固定されており、ヨーク３５および回路基板４１がカバー５３で覆われている。
【００６４】
小径筒状部５１ｂ外周には可撓性のイヤーチップ５５が嵌られ、イヤホン装置として製品化される。
【００６５】
このようなスピーカ装置では、ケーブルから回路基板４１を介して音声信号を供給するとともにボイスコイル４５へ音声信号を印加することにより、駆動部４７が振動膜４３を振動発音させ、音通筒体となった小径筒状部５１ｂを介して振動音が外部へ伝搬される。
【００６６】
そして、本発明に係るスピーカ装置は、上述した図６に示したように、耳珠１９、対珠２１、耳甲介２３で囲まれた耳甲介腔２５にケース本体４５を収納するとともに、先端のイヤーチップ５５を外耳道２７に挿入して装着使用される。
【００６７】
そのような本発明のスピーカ装置に係る構成では、ポールピース３９の外周エッジ部が、振動膜４３の固定部とケース本体５１への当接部を別々の部分で個別に機能させているから、ケース本体５１の段部５１ｃがポールピース３９の当接部３９ｂに当接しても、振動膜４３の貼り付つけられた貼付部３９ａに不均一押圧又は嵌合時の隙間による偏り等が生じ難く、振動膜７に対するストレスを小さくしてその変形も生じさせ難く、これが振動膜７の振動時の歪みを抑え、特性を安定させ易い。
【００６８】
また、本発明のスピーカ装置に係る構成では、上述した貼付部３９ａが、そのポールピース３９の外周縁部の全周にわたって凸状に突設形成されており、これが位置決め手段となって振動膜４３の貼付部３９ａへの載置、固定が容易である。
【００６９】
さらに、本発明のスピーカ装置に係る構成では、上記当接部３９ｂが、そのポールピース３９の外周縁部においてその貼付部３９ａより下がったレベルで延設され、ケース本体５１の内壁段部５１ｃに当接するので、薄型化も容易である。
【００７０】
図６に示した挿入型イヤホンで本発明を実施する場合、外周部を薄く形成することにより、耳への装着性が大幅に向上するし、耳の小さい使用者については耳への装着時の痛み又は圧迫感の軽減に貢献する。
【００７１】
しかも、振動膜４３を止着する貼付部３９ａの外周に当接部３９ｂがあるから、振動膜７の外径が貼付部３９ａの外径より大きくて振動膜７が貼付部３９ａからはみ出しても、貼付部３９ａと大径筒状部５１ａとの隙間（図７中の符号Ｓ１相当）を極力小さく、例えば０．０５ｍｍ程度に小さくすることが容易である。
【００７２】
そのため、本発明は、外径寸法を従来の外磁型製品に対しそれほど変化させることなく、不良率の大幅低減、性能バラツキの防止、高性能化に貢献できる。
【００７３】
また、ポールピース３９が磁性体材料で形成され、ポールピース３９とヨーク３５との間に強い磁気回路が形成され、ダンピングの効いた、レスポンスの早い振動が確保され易い利点がある。
【００７４】
この点、従来構成においては、図７中の隙間Ｓ１の原因で、スピーカ挿入時の偏心、挿入時の押し圧のばらつき、接着層厚みのばらつき、接着剤はみ出しのばらつき、振動膜はみ出しのばらつき等たくさんの要因により、性能不良発生の原因となっていた。
【００７５】
本発明は、図１における大径筒状部５１ａの内側とポールピース３９の外縁部（当接部３９ｂ）との間の隙間も０．０５ｍｍ以下と小さくすることも可能であり、そのことも性能不良の大幅な低下の要因となる。
【００７６】
そして、本発明に係るスピーカ装置は、上述した構成以外の構成、例えば図２Ｂに示すような構成も可能である。
【００７７】
図２Ｂにおいて、ポールピース３９の外周縁部には、当接部３９ｃが貼付部３９ａから同一レベルで平面的に形成されている。
【００７８】
しかも、当接部３９ｃは、貼付部３９ａの外側にこれに沿って形成された環状の凹溝３９ｄを介して延設形成されている。すなわち、貼付部３９ａ、凹溝３９ｄおよび当接部３９ｃが同心円状に連続形成されている。
【００７９】
なお、当接部３９ｃは、同一の厚みのポールピース３９の外周縁部において貼付部３９ａの外側に形成することも、図２Ａのように凸状に突設させた貼付部３９ａと同一レベル面で形成することも可能である。後者の構成では、ポールピース３９の外周縁部の厚みが若干厚くなる。
【００８０】
このような図２Ｂに示すスピーカ装置に係る構成は、ケース本体５１内にヨーク３５およびピールピース３９を嵌め、図４を参考にして示すと、ポールピース３９の当接部３９ｃをケース本体５１内壁の段部５１ｃに当接させ、図示しない接着剤で接着固定し、ヨーク３５がケース本体５１内に支持固定されている。
【００８１】
なお、図２Ｂの構成は、当接部３９ｃおよび凹溝３９ｄ以外の構成が図４とほぼ同様であるから、詳細な図示と説明を省略する。
【００８２】
図２Ｂに示すスピーカ装置に係る構成では、図２Ａに示す構成から得られる効果に加えて、当接部３９ｃがポールピース３９の外周縁部においてその貼付部３９ａから同一レベルで延設されており、ポールピース３９の形状の簡素化および薄型化が可能である。
【００８３】
さらに、当接部３９ｃは、そのポースピース３９の外周縁部において、その貼付部３９ａの外側にこれに沿って形成された環状の凹溝３９ｄを介して延設されているから、振動膜４３を貼付部３９ｂに載置、固定し易い。
【００８４】
しかも、実用面では、凹溝３９ｄが貼付部３９ａと当接部３９ｃを明確に分ける緩衝帯となる利点がある。
【００８５】
また、図５は本発明の他の実施の形態を示す要部縦断面図である。
この構成では、ヨーク３５の筒形部３５ａの内壁に複数の突起３５ｃを周方向に同じレベル位置で分散して突設し、図１の回路基板４１と同様な機能で有してより小径にした回路基板５７を筒形部３５ａの下側から中空部に挿入して突起３５ｃに当接させ、回路基板４１を突起３５ｃに接着剤（図示省略）等で固定させてヨーク３５の中空部に固定させている。
【００８６】
回路基板５７の中央部には貫通孔４１ａと同様な貫通孔５７ａが形成されており、この貫通孔５７ａが上述した通気性ネット４９で塞がれている。
【００８７】
さらに、ポールピース３９の外径を駆動マグネット３７やフランジ部３５ｂのそれより大径にする、又は駆動マグネット３７やフランジ部３５ｂの外径をポールピース３９のそれより小径に形成し、ポールピース３９を駆動マグネット３７やフランジ部３５ｂより外周方向へ突出させた構成である。ケース本体５１の図示は省略した。
【００８８】
なお、図５において、ヨーク３５、ポールピース３９および回路基板５７以外の構成は図１および図４とほぼ同様であるから、詳細な図示と説明を省略する。
【００８９】
このような図５に示す構成では、ヨーク３５の中空部に回路基板５７が収納されるとともにそれら複数の突起３５ｃにて回路基板５７がヨーク３５内側に支持、収納されるので、上述した効果に加えて、より薄型化が可能である。
【００９０】
ところで、本発明のスピーカ装置では、ケース本体５１の小径筒状部５１ｂで形成する音通筒体をケース本体（小径筒状部）５１の中心軸上に沿って突出する構成の他、中心軸に対して斜め方向に突出する構成も可能である。
【００９１】
なお、本発明の電気音響変換装置は、ヘッドホン、大型のスピーカ等のスピーカ装置、更に、マイクロフォンとして広く使用可能である。
【符号の説明】
【００９２】
１、５１  ケース本体
１ａ  基部
１ｂ  前面カバー
１ｃ、５１ｃ  段部
３、３５  ヨーク
３ａ  底部
３ｂ、４１ａ、４１ｂ、５７ａ  貫通孔
３ｃ、３５ａ  筒形部
３ｄ  支持片
３ｅ  環状固定部
５、３７  駆動マグネット
７、４３  振動膜  
９、４５  ボイスコイル
１１  音通筒体
１３、５５  イヤーチップ（イヤパット、イヤピース）
１５  ケーブル
１５ａ  結び目
１７、４７  駆動部
１９  耳珠
２１  対珠
２３  耳甲介
２５  耳甲介腔
２７  外耳道
２９、３９  ポールピース
３１  はとめ
３３、４１、５７  回路基板
３５ｂ  フランジ部
３５ｃ  突起
３９ａ  貼付部
３９ｂ、３９ｃ  当接部
３９ｄ  凹溝
４３ａ  中央領域
４３ｂ  外周領域
４５ａ  両端リード線
４９  通気性ネット
５１ａ  大径筒状部
５１ｂ  小径筒状部
５３  カバー
Ｅ  背面側空間
【図１】
2018067780.tif 000003
【図２】
2018067780.tif 000004
【図３】
2018067780.tif 000005
【図４】
2018067780.tif 000006
【図５】
2018067780.tif 000007
【図６】
2018067780.tif 000008
【図７】
2018067780.tif 000009